(57)【特許請求の範囲】
【請求項１】
研磨剤が取り付けられ円弧状に湾曲した湾曲部、前記湾曲部の少なくとも周方向の一端から屈曲して設けられた側部を有する板状の研磨部と、
前記研磨部における長手方向の両端側と固定される第一支持部および第二支持部を備えることを特徴とする回転刃研磨装置。
【請求項２】
前記第一支持部および前記第二支持部のそれぞれに張り出して設けられた張出部を備える
ことを特徴とする請求項１に記載の回転刃研磨装置。
【請求項３】
前記第一支持部および前記第二支持部が、連結部を介して間接的に又は直接的に接触して一体化されていることを特徴とする請求項１又は請求項２に記載の回転刃研磨装置。
【請求項４】
前記研磨部と前記第一支持部、前記研磨部と前記第二支持部が、それぞれ着脱可能に固定されていることを特徴とする請求項１から請求項３のいずれかに記載の回転刃研磨装置。
【請求項５】
前記張出部が貫通孔を備えることを特徴とする請求項２に記載の回転刃研磨装置。
【発明の詳細な説明】
【技術分野】
【０００１】
本発明は、草木等を除去するために使用される刈払機に設けられた回転刃の刃先を研磨するときに使用される研磨装置に関する。
【背景技術】
【０００２】
従来、刈払機に取り付けられた回転刃の刃先が使用により摩耗したりや欠けたりすることにより草木等を除去しづらくなってきたときには、その回転刃を刈払機から取り外して新品の回転刃に取り換えるという作業が行われていた。
【０００３】
ところが、単に摩耗したにすぎない回転刃であれば、その刃先を研磨することにより再度鋭利な刃先となり、草木等を除去することができるので、新しい回転刃に取り換えることに比べて経済的に好ましい。
【０００４】
例えば、特許文献１には、草刈り機２に装着したままの回転カッタ２１の裏面側にある中心凸部２１１を載せ、回転カッタ２１を水平姿勢にしたまま前後動自在に支持するベース１１と、回転カッタ２１の前進方向を中心とし、回転カッタ２１の外周縁に倣って左右方向に湾曲させた平面視円弧状の周面である研削面１２とから構成される回転カッタ研削装置１が開示されている。なお、各構成部材の符号は特許文献１で開示されている符号である。
【先行技術文献】
【特許文献】
【０００５】
【特許文献１】特開２０１５−８０８２５号公報
【発明の概要】
【発明が解決しようとする課題】
【０００６】
しかしながら、特許文献１に記載の回転カッタ研削装置では、回転カッタと研削面との相対的な位置関係を確定するために草刈り機を載置するベースを設ける必要があるので、装置自体の寸法が大きくなり持ち運びにくく装置を作製するためのコストも高くなるという課題があった。
【０００７】
そして、草刈り機をベースに載置して回転カッタを研削面に押し当てるときに、力の入れ具合を調整する必要があり使用するに際しある程度慣れが必要である。具体的には、回転カッタを研削面に押し当てる力が弱ければ刃先を十分に研磨することができず、一方回転カッタを研削面に押し当てる力が強ければ、回転カッタの刃先が研削面に跳ね返されて十分に研磨できないばかりか使用者又は周囲にいる者に危害を加える危険性があるという問題があった。
【０００８】
さらに、回転カッタの刃先を結ぶ曲線の曲率と研削面の曲率がおおよそ等しければ、研削面の全面に亘って回転カッタの刃先が当接してその刃先を研磨することができるが、回転カッタの刃先を結ぶ曲線の曲率と研削面の曲率の差が大きければ回転カッタの刃先一点若しくは二点程度でしか研削面と当接しないので、研磨することの作業効率が悪いという問題もあった。
【０００９】
そこで、本発明は、草木等を除去するために使用される刈払機に設けられた回転刃の刃先を研磨するときに使用される研磨装置であって、刈払機に回転刃を装着した状態で回転刃の刃先を研磨することができ、構成する部品点数を少なくすることで軽量化、コンパクト化、低コスト化することができ、研磨する部分に回転刃の刃先を押し当てる力に神経質にならなくても安全に使用できかつ確実に研磨することができる、種々の曲率を有する回転刃に対しても確実に研磨することができる研磨装置を提供することを目的とする。
【課題を解決するための手段】
【００１０】
〔１〕すなわち、本発明は、研磨剤が取り付けられ円弧状に湾曲した湾曲部、前記湾曲部の少なくとも周方向の一端から屈曲して設けられた側部を有する板状の研磨部と、前記研磨部における長手方向の両端側と固定される第一支持部および第二支持部を備えることを特徴とする回転刃研磨装置である。
〔２〕そして、前記第一支持部および前記第二支持部のそれぞれに張り出して設けられた張出部を備えることを特徴とする前記〔１〕に記載の回転刃研磨装置である。
〔３〕そして、前記第一支持部および前記第二支持部が、連結部を介して間接的に又は直接的に接触して一体化されていることを特徴とする前記〔１〕又は前記〔２〕に記載の回転刃研磨装置である。
〔４〕そして、前記研磨部と前記第一支持部、前記研磨部と前記第二支持部が、それぞれ着脱可能に固定されていることを特徴とする前記〔１〕から前記〔３〕のいずれかに記載の回転刃研磨装置である。
〔５〕そして、前記張出部が貫通孔を備えることを特徴とする前記〔２〕に記載の回転刃研磨装置である。
【発明の効果】
【００１１】
前記〔１〕に記載の回転刃研磨装置によれば、刈払機に回転刃を装着した状態で回転刃の刃先を研磨することができ、構成する部品点数を少なくすることで軽量化、コンパクト化、低コスト化することができ、研磨する部分に回転刃の刃先を押し当てる力に神経質にならなくても安全に使用できかつ確実に研磨することができ、種々の曲率を有する回転刃に対しても確実に研磨することができる。
前記〔２〕に記載の回転刃研磨装置によれば、さらに、回転刃研磨装置を地面などに載置したときに回転刃研磨装置自体が動きにくいというように安定性が増し、回転刃の刃先を着実に研磨することができる。
前記〔３〕に記載の回転刃研磨装置によれば、さらに、回転刃研磨装置の研磨部に回転刃の刃先を押し当てたときに回転刃研磨装置自体が動きにくいというように安定性が増し、回転刃の刃先を着実に研磨することができる。
前記〔４〕に記載の回転刃研磨装置によれば、さらに、研磨部に取り付けられた研磨剤が少なくなったときに新しい研磨部と取り換えられ回転刃研磨装置を継続して使用することができる。
前記〔５〕に記載の回転刃研磨装置によれば、さらに、貫通孔に杭などを通して地面にその杭を打ち込むことにより回転刃研磨装置自体が動かないので、回転刃の刃先を確実に研磨することができる。
【図面の簡単な説明】
【００１２】
【図１】本発明の回転刃研磨装置の第一実施形態を示す斜視図である。
【図２】本発明の回転刃研磨装置の第一実施形態を示す平面図である。
【図３】本発明の回転刃研磨装置の第一実施形態を示す正面図である。
【図４】本発明の回転刃研磨装置の第一実施形態における基部を示す正面図である。
【図５】本発明の回転刃研磨装置の第二実施形態を示す斜視図である。
【図６】本発明の回転刃研磨装置の第二実施形態を示す平面図である。
【図７】本発明の回転刃研磨装置の第二実施形態を示す正面図である。
【図８】本発明の回転刃研磨装置の第三実施形態を示す斜視図である。
【図９】本発明の回転刃研磨装置の第三実施形態を示す平面図である。
【図１０】本発明の回転刃研磨装置の第三実施形態を示す正面図である。
【発明を実施するための形態】
【００１３】
以下、本発明に係る回転刃研磨装置に関する実施形態について図面を参照して詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。また、数値範囲をあらわす記載は上限と下限を含むものである。
【００１４】
＜第一実施形態＞
図１から図４に示すように、回転刃研磨装置は、回転刃３の刃先と当接する研磨部１と、研磨部１を固定する基部２から構成されている。そして、回転刃研磨装置を地面に固定して、又は、回転刃研磨装置の背面を段差や壁などに押し当てて回転刃研磨装置を動かないようにして、刈払機に回転刃３を装着した状態で回転刃３を回転させ回転刃３の刃先を研磨部１に押し当てて研磨することができる。
【００１５】
研磨部１は、研磨剤１４が取り付けられ円弧状に湾曲した湾曲部１１、湾曲部１１の少なくとも一端から屈曲して設けられた側部１２を備えている板状の部材である。本実施形態では、研磨剤１４が取り付けられ円弧状に湾曲した湾曲部１１と、湾曲部１１の両端が屈曲して設けられた側部１２、両側部１２より折れ曲がって設けられた固定部１３を備えている細長い板状の部材である。
【００１６】
湾曲部１１は、回転刃３の複数の刃先を結ぶ曲線におおよそ沿うように湾曲しており、湾曲部１１の曲率半径は１３０〜１８０ｍｍであることが好ましい。湾曲部１１の曲率半径が上記範囲であると、市販されている刈払機の回転刃３のほとんどに対して使用することができる。本実施形態において湾曲部１１の曲率半径は１５５ｍｍであるが、他の実施形態において上記範囲内において変更することができる。
【００１７】
側部１２は、湾曲部１１の一端から所定の角度だけ屈曲して設けられた部材であり、湾曲部１１と側部１２とが為す角度αが直角又は鈍角を形成して屈曲していることが好ましい。湾曲部１１と側部１２とが為す角度αが直角又は鈍角を形成していると、刈払機に取り付けた回転刃３の刃先を湾曲部１１に押し当てたときに、湾曲部１１から側部１２に至る部分が背面側に撓みやすくなることによって、回転刃３の複数の刃先と湾曲部１１がより多く接触しやすくなり、また、回転刃３の刃先と湾曲部１１が接触する力が適度に緩和されるために、効率良く回転刃３の刃先を研磨することができる。本実施形態において湾曲部１１と側部１２とが為す角度αは１２０度であるが、他の実施形態において上記範囲内、すなわち９０度以上１８０度未満の角度において変更することができる。また、本実施形態において側部１２は、湾曲部１１の両端２箇所に設けられているが、他の実施形態において側部１２を湾曲部１１の一端のみ１箇所に設けることもできる。
【００１８】
固定部１３は、側部１２における湾曲部１１側とは反対側の端部より折れ曲がって設けられ、第一支持部２１又は第二支持部２２に固定させるための部材である。本実施形態において、固定部１３が設けられているが、他の実施形態において、固定部１３を設けずに側部１２における湾曲部１１側とは反対側の端部を、溶接や接着などの方法により直接第一支持部２１又は第二支持部２２に固定させることができる。なお、他の実施形態において側部１２を湾曲部１１の一端のみ１箇所に設けた場合には、側部１２を有しない湾曲部１１の他端を直接第一支持部２１又は第二支持部２２に固定させることもできる。
【００１９】
そして、図面では表れていないが、固定部１３にはボルトＢの雄螺子部分が貫通する円形状の螺子孔が穿設されており、ボルトＢとナットＮを取り外すことによって研磨部１と基部２を容易に着脱可能となっている。なお、研磨部１の固定部１３と基部２の第一支持部２１又は第二支持部２２を固定するために固定手段としては、ボルトＢとナットＮなどからなる螺子以外にも、固定部１３と第一支持部２１又は第二支持部２２に設けられた突起部と挿入部を嵌合させて固定させることもできるし、固定部１３と第一支持部２１又は第二支持部２２をネオジム磁石などの磁石で挟んで固定させることもできる。
【００２０】
本実施形態において、湾曲部１１、側部１２、固定部１３は一枚の細長い板状部材を折り曲げ加工を行うことによって成形されているが、他の実施形態において、それぞれ個別のパーツを溶接や接着などの方法により繋ぎ合わせて成形することもできる。
【００２１】
また、研磨部１における少なくとも湾曲部１１、側部１２の素材は、ステンレス鋼や鋳鉄などの金属やエンジニアリングプラスチックなどの高分子材料などのように力を加えると変形するがその力を取り除くと元の形状の戻るという弾性の性質を有していることが好ましい。湾曲部１１、側部１２が弾性材であると、刈払機に取り付けた回転刃３の刃先を湾曲部１１に押し当てたときに、湾曲部１１から側部１２に至る部分が背面側に撓みやすくなることによって、回転刃３の複数の刃先と湾曲部１１がより多く接触しやすくなり、また、回転刃３の刃先と湾曲部１１が接触する力が適度に緩和されるために、効率良く回転刃３の刃先を研磨することができる。このため、種々の半径を有する回転刃３の刃先を安定して研磨することができる。
【００２２】
湾曲部１１に取り付けられた研磨剤１４は、湾曲部１１における回転刃３と当接する側の面、すなわち、窪んだ側の面に取り付けられており、回転刃３の刃先よりも硬い材料などから構成されている。研磨剤１４としては、具体的にはダイヤモンド、立方晶窒化ホウ素、炭化ケイ素、酸化アルミニウム（ＩＩＩ）などを使用することができ、それらを湾曲部１１に吹き付け、塗布、接着剤などの方法によって、さらに、焼結などの加熱工程を加えるなどによって湾曲部１１に固定される。本実施形態において、研磨剤１４は湾曲部１１の窪んだ側の面のほぼ全面に亘って取り付けられているが、他の実施形態において湾曲部１１の窪んだ側の面にどのように研磨剤１４を取り付けるかは種々変更することができる。
【００２３】
基部２は、少なくとも研磨部１における長手方向の両端側と固定される第一支持部２１および第二支持部２２を備え、研磨部１を支える部材である。本実施形態では、研磨部１における長手方向の両端側に位置する固定部１３と当接して研磨部１を支える板状の第一支持部２１および第二支持部２２、さらに、第一支持部２１および第二支持部２２における固定部１３と当接している面と反側の面より張り出して設けられた張出部２３を備えている。そして、第一支持部２１と第二支持部２２の間に所定の角度だけ折れ曲がって形成されている板状の連結部２４も備えている。なお、本実施形態において、第一支持部２１および第二支持部２２は板状の部材であるが、他の実施形態において研磨部１を支えることができる限り棒状の部材とすることもできる。
【００２４】
第一支持部２１および第二支持部２２は、研磨部１における長手方向の両端側と固定され研磨部１を支持する部材である。本実施形態において、第一支持部２１および第二支持部２２は矩形状の板部材であり、第一支持部２１および第二支持部２２の長手方向に沿ってそれぞれ二種類の短径用固定長孔２５と長径用固定長孔２６が穿設されている。研磨部１の大きさによって、短径用固定長孔２５又は長径用固定長孔２６を用いてボルトＢとナットＮなどの固定手段によって固定することができる。本実施形態において、研磨部１における長手方向の両端側である固定部１３と固定する長孔は二箇所であるが、他の実施形態で１箇所のみ、又は３箇所以上とすることもできる。また、短径用固定長孔２５と長径用固定長孔２６は、第一支持部２１および第二支持部２２の長手方向に沿った長孔であるが、丸孔に比べて研磨部１における湾曲部１１の歪が生じないように取り付けるために研磨部１の位置調節がしやすいので好ましい。
【００２５】
張出部２３は、第一支持部２１および第二支持部２２のそれぞれに張り出して設けられ、第一支持部２１および第二支持部２２を地面などの設置場所に対して安定して立設させるための部材である。本実施例において、張出部２３は、第一支持部２１および第二支持部２２における固定部１３と当接している面と反側の面より張り出して設けられている板状部材であるが、他の実施形態において柱状や錐状の部材とすることもでき、さらには、地面などと当接する面に地面などに食い込むように杭を付加することもできるし、また、張出部２３を第一支持部２１および第二支持部２２における固定部１３と当接している面より張り出して設けることもできる。
【００２６】
また、本実施形態における張出部２３には、所定の大きさの径を有する貫通孔２５が穿設されており、地面など設置する場所に応じて貫通孔２５を通して杭を打ち込むことにより本発明の回転刃研磨装置を確実に固定することができる。
【００２７】
連結部２４は、第一支持部２１と第二支持部２２の間に所定の角度だけ折れ曲がって設けられた部材であり、第一支持部２１と第二支持部２２を固定するための部材である。また、第一支持部２１と第二支持部２２の間に本実施形態のように板状の連結部２４を設けることにより、連結部２４の背面側、すなわち連結部２４における研磨部１が位置する面とは反対側の面を段差や壁などに押し当てて回転刃研磨装置を動かないようにして、刈払機に回転刃３を装着した状態で回転刃３を回転させ回転刃３の刃先を研磨部１に押し当てて研磨することができる。本実施形態において、連結部２４と第一支持部２１および第二支持部２２とが為す角度βを１３５度としているが、他の実施形態において種々変更することができる。
【００２８】
また、本実施形態において、連結部２４が設けられているが、他の実施形態において、連結部２４を介さずに第一支持部２１と第二支持部２２がそれぞれ独立して板状部材として設けられていても良い。そのときには、第一支持部２１と第二支持部２２にそれぞれ張出部２３を設け、さらには張出部２３に貫通孔２５を設けるなどして地面などの設置場所において回転刃研磨装置が動かないようにすることが好ましい。
【００２９】
本実施形態において、第一支持部２１、第二支持部２２、連結部２４は一枚の細長い板状部材を折り曲げ加工を行うことによって成形されているが、他の実施形態において、それぞれ個別のパーツを溶接や接着などの方法により繋ぎ合わせて成形することもできる。
【００３０】
また、基部２における第一支持部２１、第二支持部２２、張出部２３、連結部２４の素材は、回転刃研磨装置が動きにくいようにするためにステンレス鋼や鋳鉄などの金属であることが好ましい。
【００３１】
＜第二実施形態＞
図５から図７に示すように、回転刃研磨装置は、第一実施形態と同様に構成されているところ、第一実施形態とは研磨部１における湾曲部１１の長手方向の長さが長くなっており、湾曲部１１と側部１２とが為す角度αを１１０度としている点などにおいて相違するため、研磨部１の両端側である固定部１３のそれぞれを第一支持部２１および第二支持部２２の長径用固定長孔２６に取り付けている。これらの構成により第一実施形態と同様な効果を奏することができる。
【００３２】
＜第三実施形態＞
図８から図１０に示すように、回転刃研磨装置は、第一実施形態と同様に構成されているところ、第一実施形態とは連結部２５を介さずに第一支持部２１および第二支持部２２が直接接触している点などにおいて相違するため、角地を形成する段差や壁などに第一支持部２１および第二支持部２２を押し当てて回転刃研磨装置を固定することができる。これらの構成により第一実施形態と同様な効果を奏することができる。
【符号の説明】
【００３３】
１・・・研磨部
１１・・・湾曲部
１２・・・側部
１３・・・固定部
１４・・・研磨剤
２・・・基部
２１・・・第一支持部
２２・・・第二支持部
２３・・・張出部
２３１・・・貫通孔
２４・・・連結部
２５・・・短径用固定長孔
２６・・・長径用固定長孔
３・・・回転刃
【図１】
0006594214.tif 000002
【図２】
0006594214.tif 000003
【図３】
0006594214.tif 000004
【図４】
0006594214.tif 000005
【図５】
0006594214.tif 000006
【図６】
0006594214.tif 000007
【図７】
0006594214.tif 000008
【図８】
0006594214.tif 000009
【図９】
0006594214.tif 000010
【図１０】
0006594214.tif 000011